(57)【特許請求の範囲】
【請求項１】
ハウジング（２）の上下面に相対するテーパーリング部（１）、（１’）を有する円筒部分が貫通され、該ハウジングの該円筒部分内にはストッパーロッド（３）が挿通され、該ストッパーロッドと該テーパーリング部の間に複数個の鋼球（４）が軸方向に作動できるようにリテイナー（５）、（５’）内に配設され、該鋼球を該テーパーリング部の小径側に押し込んで該ストッパーロッドをロックするためのリターンスプリング（６）、（６’）が装着され、空気圧ピストン（７）、（７’）の間に連通された空気孔より空気圧を供給することにより、該リターンスプリングに打ち勝って該鋼球を該テーパーリング部の大径側に押し出して、ロックを解除するための該空気圧ピストンが配設され、該ストッパーロッドのロック解除時、該ストッパーロッドを押し出してワークの形状に倣うためのセットスプリング（８）を備えたことを特徴とする多点ストッパー用ロック装置。
【発明の詳細な説明】
【０００１】
［産業上の利用分野］
複雑な形状をしたワークを極めて隣接した多点で支持するためのストッパーで、特に板金加工品を溶接するような場合に使用する。
【０００２】
［従来の技術］
（１）複数のロッドを独立したスプリングでそれぞれ支持する装置。
（２）複数のロッドを油圧により均等な力で支持する装置。
【０００３】
［発明が解決しようとする課題］
本願発明の課題は、極めて隣接した、多数のストッパーロッドをそれぞれ独立した位置で保持するためのロック装置を開発することであり、従来技術に無い小型化が要求される。本願発明の課題は、著しい小型化を可能にする新規なロック装置を提供することである。
前１項の従来技術では、スプリングで支持するだけで、ストッパーとしての役目を果たさない。
前２項の従来技術では、ワークの変形に追従できない。
【０００４】
［課題を解決しようとするための手段］
（１）、ストッパーロッドにかかる荷重、及び、リターンスプリング力を鋼球のころがりにより、ロック力に変換する。
（２）、相対するテーパー部のテーパー角度を大きくすることで、異常な過大荷重がかかった場合の安全機構とする。
（３）、相対するテーパーの角度を相違さた、ロック動作、及び解除動作を採用する。このことが、小型化につながる。
【０００５】
［発明の実施の形態］
図面にしたがって説明する。
図１は、本願発明の軸方向断面図である。
図１に於て、テーパーリング部１、１′は、ハウヂング２に、極めて隣接した位置に多数形成されている。ストッパーロッド３は、それぞれテーパーリング部１、１′を貫通して挿入され、又、ストッパーロッド３にはそれぞれ独立して押し出すためのセットスプリング８が設けられている。
相対するテーパーリング部１、１′間の円筒部分に、一体構造のリテイナー５、と空気圧ピントン７、及び、リテイナー５′と空気圧ピストン７′が、相対する方向に挿入され、前記円筒部分の中央に空気孔９がが設けられている。鋼球４は、リテイナー５、及び５′に拘束されてテーパーリング部１及び１′とストッパーロッド３の間に組み込まれていて、リテイナーリング５、５′の外側にそれぞれリターンスプリング６、６′が組み込まれている。
次に、動作について述べる。
空気孔９より加圧すると、空気圧ピストン７、７′及びリテイナー５、５′がリターンスプリング６、６′を圧縮する方向に動き、リテイナー５、５′に拘束された鋼球４がテーパーリング部１、１′から離れる。
この時点で、ストッパーロッド３は、セットスプリング８により、最大ストローク押し出される。次に、この状態で、多数のストッパーロッド３の先端にワークを押し付けると、それぞれのストッパーロッド３はワークの形状に倣った位置まで押し下げられる。
この時点で、空気孔９より排気すると、リテイナー５、５′に拘束された鋼球４は、リターンスプリング６、６′により、テーパーリング部１、１′のテーパー面とストッパーロッド３の円筒面に圧接される。
この状態で、溶接等によりストッパーロッド３にかかる荷重が変動した場合について述べる。
ワークを押し付ける方向に加わったとすると、鋼球４の中心は、関係する接触面の変形に応じて、軸方向にわずかに移動可能となる、即ち、鋼球４はわずかな距離だけころがりながら圧接される。このころがり圧接の間の、ストッパーロッド３にかかる荷重に応じたストッパーロッド３と鋼球４の圧接力に起因する摩擦力が、本願発明のロック力である。
この本願発明のロック力の許容最大値は、テーパー面のテーパー角度及び関係部材の材質により決まる値で、実際には、耐久テストにより求めるべきものである。次に、前記許容最大ブレーキ力以上の、異常な荷重がストッパーロッド３に加わった場合には、鋼球４とテーパ面の接点の変形が増大し、両者間の抗力の方向が変わる、即ちテーパー面のテーパー角度が増大した場合に相当する抗力方向となる。この時点で、ストッパーロッド３と鋼球４は滑りだして、それ以上、両者の圧接力は増大しない、即ち、破壊につながらないことになる。
又、この滑りだす力も、テーパー面の角度及び関係部材の材質によって決まり、実際のテストにより求めるべきものである。
次に、ワークを引き離す方向に加わったとすると、前記ワークを押し付ける荷重の代わりに、セットスプリング８のスプリング力を当てはめると良い、即ち、前記スプリング力に起因する摩擦力がストッパーロッド３をその位置に保持するための保持力となる。
次に、ワークを取り外した後に、空気孔９より給気すると、空気圧ピストン７、７′及びリテイナー５、５′が、リターンスプリング６、６′に打ち勝って、鋼球４を圧接面から離す、即ち、ロック解除の状態となる。この際の、力関係について述べる。
テーパーリング部１に対する圧接力は無視できる程度であり、鋼球４のころがりにより容易に解除できる。
これに対して、テーパーリング部１′に対しては、セットスプリング８に起因する圧接力が生じたままでり、テーパーリング部１′と鋼球４の接点に生じる、前記圧接力に対する摩擦力に打ち勝って解除しなければならず、より大なるロック解除力を必要とする。故に、テーパーリング部１′のテーパー角度が大なる程容易に解除する。
又、前述したごとく、ワークを押し付ける場合とワークを引き離す場合とでは、ストッパーロッド３に加わる力、ロック力にかなりの差がある、即ち、ワークを押し付ける場合、テーパーリング部１を使用する場合は、５０Ｎ程度であり、異常な過大荷重が加わってスリップする場合は１００Ｎ程度である。ワークを引き離す場合は、テーパーリング１′を使用する場合、セットスプリング８力だけであり、５Ｎ程度である。
この、ロック力の差は、テーパーリング部と鋼球の接点の変形量の差へとつながり、更に、必要とするテーパー角度に差が生じる。
以上のことに着眼すると、テーパーリング部１′のテーパー角度をテーパーリング部１のテーパー角度より大きくすることが、本願発明の目的である小型化に多大に貢献することになる。
【０００６】
［実施例］
ストッパーロッド３の外径  ６ｍｍ、材質  ＳＵＪ２、焼入れ後硬質クロームメッキ。
ハウヂング２、Ｓ４５Ｃ、硬質クロームメッキ。
テーパーリング部１のテーパー角度  １１度。
テーパーリング部１′のテーパー角度  １３度。
空気圧ピストンの外径  １１ｍｍ、内径  ６ｍｍ。
以上の寸法及び材質で実施した結果、
押し付け側ロック荷重  ５０Ｎ、  過負荷すべり荷重  １００Ｎ。
ロック解除空気圧  ０．３ＭＰａ。
で耐久性を確認した。
【０００７】
［発明の効果］
（１）、荷重自体をころがり伝達によりロック力に変換することにより、特にロックのためのスプリングを必要としない。
（２）、テーパー角度を適正に設定することにより、異常な過負荷時にスリップする安全機構が可能となる。
（３）、相対するテーパーリング部のテーパー角度に相違を設けることにより、ロック解除力を軽減できる。
以上の理由により、本願発明の課題を満足する、極めて小型の新規なストッパー装置を提供することができる。
【図面の簡単な説明】
【図１】本願発明の長手軸方向断面図。
【符号の説明】
（１）、（１′）は、テーパーリング部。
（２）は、ハウヂング。
（３）は、ストッパーロッド。
（４）は、鋼球。
（５）、（５′）は、リテイナー。
（６）、（６′）は、リターンスプリング。
（７）、（７′）は、空気圧ピストン。
（８）は、セットスプリング。
（９）は、空気孔。
【図１】
0004716069.tif 000002